(57)【要約】【課題】  胴縁材を用いずに、ＡＬＣに溝加工を施すことなく、通気層を有するＡＬＣパネル取付金具とそれを用いてＡＬＣパネルを躯体に取付ける金具とそのための取付構造を提供する。【解決手段】  本発明は、垂直方向に延びる薄板状部材であって取付け用ビス孔を有する矩形の基部と、該基部から室外側水平方向に延びる薄板状部材であって先端部に当該部材を直角に屈曲させて成形した爪部を有するＡＬＣパネル小口受け部と、前記基部の周囲４辺のうち相対する２辺に該基部に対して室内側方向に延びる薄板状部材および該薄板状部材の室内側端部に当該部材を上下方向あるいは左右方向に屈曲させて形成した鍔部を有する間隔保持部とで構成されているＡＬＣパネル取付金具と該金具を用いて隣接するＡＬＣパネルを躯体又は柱に取付ける構造を特徴とする。【選択図】  図１
2005139672.tif 000002
【特許請求の範囲】
【請求項１】
垂直方向に延びる薄板状部材であって取付け用ビス孔を有する矩形の基部と、該基部から室外側水平方向に延びる薄板状部材であって先端部に当該部材を直角に屈曲させて形成した爪部を有するＡＬＣパネル小口受け部と、前記基部の周囲４辺のうち相対する２辺に該基部に対して室内側方向に延びる薄板状部材および該薄板状部材の室内側端部に当該部材を上下方向あるいは左右方向に屈曲させて形成した鍔部を有する間隔保持部とで構成されていることを特徴とするＡＬＣパネル取付金具。
【請求項２】
前記間隔保持部が付設されていない前記基部の相対する２辺と前記間隔保持部の薄板状部材に沿って、室内側方向に補強部が付設されていることを特徴とする請求項１記載のＡＬＣパネル取付金具。
【請求項３】
前記ＡＬＣパネル取付金具は、一枚の薄板材で構成されていることを特徴とする請求項１または２記載のＡＬＣパネル取付金具。
【請求項４】
請求項１〜３のいずれか１項記載のＡＬＣパネル取付金具を用いたＡＬＣパネルの取付構造であって、ＡＬＣパネル上下端の小口が前記金具の小口受け部で受けられ、該ＡＬＣパネル小口受け部の先端部に形成された爪部が前記ＡＬＣパネル上下端の小口面に打ち込まれ、前記金具の基部に設けられた取付け用ビス孔に挿通させたビスによって該金具が躯体又は柱に固着され、ＡＬＣパネルが躯体又は柱に対し間隔保持部の分だけ離隔して取付けられていることを特徴とするＡＬＣパネルの取付構造。
【請求項５】
請求項１〜３のいずれか１項記載のＡＬＣパネル取付金具を９０°回転させて用いたＡＬＣパネルの取付構造であって、ＡＬＣパネル左右端の小口が前記金具の小口受け部で受けられ、該ＡＬＣパネル小口受け部の先端部に形成された爪部が前記ＡＬＣパネル左右端の小口面に打ち込まれ、前記金具の基部に設けられた取付け用ビス孔に挿通させたビスによって該金具が躯体又は柱に固着され、ＡＬＣパネルが躯体又は柱に対し間隔保持部の分だけ離隔して取付けられていることを特徴とするＡＬＣパネルの取付構造。
【発明の詳細な説明】
【技術分野】
【０００１】
本発明は、木造や軽量鉄骨造の外壁として取り付けられるＡＬＣ(軽量気泡コンクリート)薄板(パネル)の取付けにおいて、通気層を設けるための取付金具およびその取付構造に関するものである。
【背景技術】
【０００２】
厚さ７５ｍｍ未満のＡＬＣ薄板(パネル)は、軽量で、断熱性、耐火性、意匠性に優れており、また建築現場での切断や取付けが容易なので、木造や軽量鉄骨造の建築物の外壁として広く使用されている。
この中で、特に木造の建築物の外壁として用いられる場合には、木造躯体の室外側から一定間隔を設けて外壁材を設置することで、上下端が外気に開放された通気層を内部に構成した構法がしばしば用いられる。これは、万が一、外壁の目地や劣化部から雨水が侵入した場合や壁体内部で結露現状が起きた場合に、雨水や結露水を蒸発または排水させる機能を確保した構法であり、雨水や結露水による躯体の劣化を防止するためにしばしば採用される。
【０００３】
かかる通気構造を採用するＡＬＣパネルの取付方法については、以下の取付方法が挙げられる。
先ず、ＡＬＣパネルの張り方に応じて縦胴縁もしくは横胴縁を柱や間柱に取付け、その間柱に対し、ＡＬＣパネルを、パネルの室外側からビスで７〜８ｍｍ程度打ち込み、ＡＬＣパネルを固定するというＡＬＣパネルの取付方法がある。
ここで、横胴縁の場合には通気層を上下端が外気に解放されたものとするため、横胴縁を取り付ける場合には、通気機能を確保するため、胴縁を設けない箇所を所定のピッチで作る必要がある。
【０００４】
また、例えば、特許文献１に示すように、胴縁を設けず、ＡＬＣパネルの室内側の面に溝加工を施したＡＬＣパネルを柱および間柱に、パネルの室外側からビスを７〜８ｍｍ打ち込みパネルを固定することによって、通気層を確保するＡＬＣパネルの取付方法などもある。
【０００５】
【特許文献１】特開２０００−０１６８８０号公報
【発明の開示】
【発明が解決しようとする課題】
【０００６】
しかしながら、前者の方法を採用する際には、胴縁設置作業が煩雑であることと、またそれによるコストアップが課題となっていた。
また、後者の方法によれば、胴縁設置作業を伴わないため、作業の煩雑さやコストアップは免れるが、ＡＬＣパネルに施した溝が、上下方向で連続しなければ、外気に開放された空気層とはならないため、その上下の溝形状を合わせる作業が煩雑であるという問題点があった。
さらに後者の方法にあっては、侵入した雨水および結露水を排水または蒸発させるために必要な通気層を確保するため、ＡＬＣパネルの裏面に施す溝加工の深さをパネルの耐久性確保の限界を超えた深さとする必要があり、ＡＬＣパネルの耐久性を確保できないという問題点があった。
【０００７】
このため、本発明の目的は、胴縁材を用いず、かつＡＬＣパネルに溝加工を施すことなく、通気層を有するＡＬＣパネル取付金具および取付構造を提供することにある。
【課題を解決するための手段】
【０００８】
上記の目的を達成するために、本発明に係るＡＬＣパネル取付金具は、垂直方向に延びる薄板状部材であって取付け用ビス孔を有する矩形の基部と、該基部から室外側水平方向に延びる薄板状部材であって先端部に当該部材を直角に屈曲させて成形した爪部を有するＡＬＣパネル小口受け部と、前記基部の周囲４辺のうち相対する２辺に該基部に対して室内側方向に延びる薄板状部材および該薄板状部材の室内側端部に当該部材を上下方向あるいは左右方向に屈曲させて形成した鍔部を有する間隔保持部とで構成されていることを特徴とするものである。
また、本発明に係るＡＬＣパネル取付金具は、前記間隔保持部が付設されていない前記基部の相対する２辺と前記間隔保持部の薄板状部材に沿って、室内側方向に補強部が付設されていることを特徴とし、更に、前記ＡＬＣパネル取付金具は、一枚の薄板材で構成されていることを特徴とするものである。
一方、本発明に係るＡＬＣパネルの取付構造は、前記したＡＬＣパネル取付金具を用いたＡＬＣパネルの取付構造であって、ＡＬＣパネル上下端の小口が前記金具の小口受け部で受けられ、該ＡＬＣパネル小口受け部の先端部に形成された爪部が前記ＡＬＣパネル上下端の小口面に打ち込まれ、前記金具の基部に設けられた取付け用ビス孔に挿通させたビスによって該金具が躯体又は柱に固着され、ＡＬＣパネルが躯体又は柱に対し間隔保持部の分だけ離隔して取付けられていることを特徴とするものであり、また、前記した取付金具を９０°回転させて用いたＡＬＣパネルの取付構造であって、ＡＬＣパネル左右端の小口が前記金具の小口受け部で受けられ、該ＡＬＣパネル小口受け部の先端部に形成された爪部が前記ＡＬＣパネル左右端の小口面に打ち込まれ、前記金具の基部に設けられた取付け用ビス孔に挿通させたビスによって該金具が躯体又は柱に固着され、ＡＬＣパネルが躯体又は柱に対し間隔保持部の分だけ離隔して取付けられていることを特徴とするものである。
【発明の効果】
【０００９】
以上説明した本発明に係るＡＬＣパネルの取付金具によれば、胴縁材を用いずに、また、ＡＬＣパネルに溝加工を施すこともなく、通気層を有するＡＬＣパネルの取付構造を提供することが可能となる。
【発明を実施するための最良の形態】
【００１０】
以下、本発明のＡＬＣパネル取付金具および取付構造について、図面を参照しながら説明する。
図１は、本発明の取付金具の第１の実施例を示す斜視図、図２は、同じく第２の実施例を示す斜視図、図３は、図１に示す第１の実施例のＡＬＣパネル取付金具の断面図であって、（Ａ）は図１のア−ア線上の横断平面図、（Ｂ）は図１のイ−イ線上の縦断正面図、図４は、図２に示す第２の実施例のＡＬＣパネル取付金具の断面図であって、（Ａ）は図２のウ−ウ線上の縦断平面図、（Ｂ）は図２のエ−エ線上の縦断正面図、図５は、図１の第１の実施例のオ−オ線上の縦断側面図、図６は、図２の第２の実施例のカ−カ線上の横断側面図、図７は、図１に示す第１の実施例のＡＬＣパネル取付金具を用いたＡＬＣパネル取付構造の縦断側面図、図８は、図２に示す第２の実施例のＡＬＣパネル取付金具を９０°回転させて用いたＡＬＣパネル取付構造の横断側面図である。
【００１１】
本発明に係るＡＬＣパネル取付金具は、図１又は図２に示すように、垂直方向に延びる薄板状部材であって取付け用ビス孔２、９を有するステンレス鋼等の金属製又は強化プラスチック製で、厚さが１〜２ｍｍ程度の矩形の基部１、８と、該基部から室外側水平方向に延びる薄板状部材であって先端部に当該部材を直角に屈曲させて成形した爪部４、１１を有するＡＬＣパネル小口受け部３、１０と、前記基部の周囲4辺のうち相対する２辺に該基部に対して室内側方向に延びる薄板状部材および該薄板状部材の室内側端部に当該部材を上下方向あるいは左右方向に屈曲させて形成した鍔部を有する間隔保持部５、１２とで構成されている。
【００１２】
そして、本発明に係るＡＬＣパネル取付金具は、図３又は図４に示すように、基部１、８と補強部６、１３とのなす角度θ１、又は、間隔保持部５、１２と補強部６、１３とのなす角度θ１が、それぞれ略垂直となるように付設されている。
ここで、該角度θ１を略垂直としたのは、ＡＬＣパネルの自重等による取付金具の変形を阻止するためである。
【００１３】
また、本発明に係るＡＬＣパネル取付金具は、図５又は図６に示すように、基部１、８と間隔保持部５、１２とのなす角度θ２が７５°〜９０°となるように構成されている。
ここで、該角度θ２が７５°〜９０°の角度であるとしたのは、該角度θ２が７５°未満だと、ビス孔２、９にビス７、１４を打ち込んだ際、該ビス７、１４が間隔保持部５、１２と接触して変形、破損するおそれがあるからであり、一方、該角度θ２が９０°を超えると、該ビス７、１４を打ち込んだ際に該角度θ２が広がり易くなり、躯体Ａと基部１、８との間隔が狭くなるおそれがあるからである。
【００１４】
そして、本発明に係る図１の取付金具を用いたＡＬＣパネルＰを躯体Ａに対し横張りに取付ける構造は、図７に示すように、ＡＬＣパネルＰａ、Ｐｂ上下端の小口が前記金具の小口受け部３で受けられ、該ＡＬＣパネル小口受け部の先端部に形成された爪部４ａ、４ｂが該ＡＬＣパネルＰａ、Ｐｂ上下端の小口面に打ち込まれ、前記金具の基部１に設けられた取付け用ビス孔２に挿通させたビス７によって該金具が躯体Ａに固着され、ＡＬＣパネルＰａ、Ｐｂが躯体Ａに対し間隔保持部５を設けた分、離隔して取付けられている。
【００１５】
同様に、本発明に係る図２の取付金具を９０°回転させて用いたＡＬＣパネルＰを躯体Ａに対し縦張りに取付ける構造は、図８に示すように、ＡＬＣパネルＰａ、Ｐｂ左右端の小口が前記金具の小口受け部１０で受けられ、該ＡＬＣパネル小口受け部の先端部に形成された爪部１１ａ、１１ｂが該ＡＬＣパネルＰａ、Ｐｂ左右端の小口面に打ち込まれ、前記金具の基部８に設けられた取付け用ビス孔９に挿通させたビス１４によって該金具が躯体Ａに固着され、ＡＬＣパネルＰａ、Ｐｂが躯体Ａに対し間隔保持部１２を設けた分、離隔して取付けられている。
【実施例１】
【００１６】
次に、本実施例において、厚さ１〜２ｍｍの１枚のステンレス製の板を用い、以下の製造工程により、図１に示す取付金具を製造した。
即ち、先ず、長方形状のステンレス製板の長方形状中心部分について、該中心部分の１辺については打ち抜かず、他の３辺については打ち抜き、小口受け部３となる部分を作製する。ここで、該中心部分の１辺に相対する１辺については、爪部４を作製することをも踏まえてその分の長さを考慮して打ち抜く必要がある。そして、該小口受け部３となる部分を該ステンレス製板の基部１に対しほぼ直交するように折り曲げ、更に該小口受け部３の端部を該ステンレス製板の基部１とほぼ平行となるように折り曲げて爪部４を作製する。
次に、ステンレス製板の基部１を躯体に対し垂直方向に配設した場合における該基部の上下端部について、間隔保持部５を作製するために、屈曲する部分に予め切れ目を入れる。そして、ステンレス製板の基部1を躯体に対し垂直方向に配設した場合における該基部の左右端部を、２〜３ｍｍ折り曲げて、取付金具の強度を確保するための補強部６を形成する。その後、間隔保持部５を該基板１の上下端部にある切れ目から折り曲げる。
以上のような製造工程を経ることにより、図１に示すような取付金具が製造される。
【００１７】
更に、上記取付金具を用いて、以下に示すような取付方法で、隣接するＡＬＣパネルＰａ、Ｐｂを横張りで張り巡らせ、図７に示す通気層を有する外壁を形成した。
即ち、先ず、下段ＡＬＣパネルを建て込みながら、躯体Ａが設置される位置にあるＡＬＣパネル上辺の小口に爪部４ｂを打ち込み、ＡＬＣパネルＰｂを完全に建て起こした段階で取付金具の取付け用ビス孔２にビス７を挿通し、ビス７を取付金具の取付け用ビス孔２を介して躯体Ａにねじ込み、取付金具を躯体Ａに固定する。この作業により下段ＡＬＣパネルＰｂの上側が固定される。
さらに、下段ＡＬＣパネルＰｂの上に、上段ＡＬＣパネルＰａをその下辺の小口に爪部４ａが打ち込まれるように設置する。
以上の作業工程を繰り返すことで、ＡＬＣパネルＰａ、Ｐｂの横張りによる通気層を有する外壁が施工される。
【実施例２】
【００１８】
実施例２においても、実施例１とほぼ同様の工程により、図２に示すような取付金具を製造した。
更に、実施例２では、上記取付金具を９０°回転した形で用いて、以下に示すような取付方法で、隣接するＡＬＣパネルＰａ、Ｐｂを縦張りで室外側から見て向かって右側、左側の順で張り進めて、図８に示す通気層を有する外壁を形成した。
即ち、先ず、ＡＬＣパネルＰｂの左側の長辺方向の小口に、予め取付金具の爪部１１ｂを所定のピッチで打ち込んでおく。そして、ＡＬＣパネルＰｂを建て込み、打ち込んだ取付金具の取付け用ビス孔９にビス１４を挿通し、ビス１４を躯体Ａに向かってねじ込み、取付金具を躯体Ａに固定する。さらに、次に建て込むパネルＰａの右側の長辺小口に、先に設置した取付金具の爪部１１ａが打ち込まれるようにＡＬＣパネルＰａを建て込んで固定する。
以上の作業工程を繰り返すことで、ＡＬＣパネルＰａ、Ｐｂの縦張りによる通気層を有する外壁が施工される。
尚、上記施工方法を採用する場合には、ＡＬＣパネル下辺の小口でパネルの自重を受け持つような支持材を、別途間柱、本柱に設置することが望ましい。
【産業上の利用可能性】
【００１９】
以上説明したように、本発明に係るＡＬＣパネルの取付金具によれば、胴縁材を用いることなく、また、ＡＬＣパネルに溝加工を施すこともなく、通気層を有する木造や軽量鉄骨造などの建築物の外壁としてのＡＬＣパネルの取付構造を提供することができるため、産業上の利用可能性は多大である。
【図面の簡単な説明】
【００２０】
【図１】本発明の:実施例１に示す取付金具の斜視図である。
【図２】本発明の:実施例２に示す取付金具の斜視図である。
【図３】図１に示すＡＬＣパネル取付金具の断面図で、（Ａ）は図１のア−ア線上の横断平面図、（Ｂ）は図１のイ−イ線上の縦断正面図である。
【図４】図２に示すＡＬＣパネル取付金具の断面図で、（Ａ）は図２のウ−ウ線上の縦断平面図、（Ｂ）は図２のエ−エ線上の縦断正面図である。
【図５】図１のオ−オ線上の縦断側面図である。
【図６】図２のカ−カ線上の横断側面図である。
【図７】図１に示すＡＬＣパネル取付金具を用いたＡＬＣパネル取付構造の一実施例を示す縦断側面図である。
【図８】図２に示すＡＬＣパネル取付金具を９０度回転させて用いたＡＬＣパネル取付構造の一実施例を示す横断側面図である。
【符号の説明】
【００２１】
Ｐａ、Ｐｂ  ＡＬＣパネル
Ａ  躯体
１、８  基部
２、９  取付け用ビス孔
３、１０  小口受け部
４ａ、４ｂ、１１ａ、１１ｂ  爪部
５、１２  間隔保持部
６、１３  補強部
７、１４  ビス
【図１】
2005139672.tif 000003
【図２】
2005139672.tif 000004
【図３】
2005139672.tif 000005
【図４】
2005139672.tif 000006
【図５】
2005139672.tif 000007
【図６】
2005139672.tif 000008
【図７】
2005139672.tif 000009
【図８】
2005139672.tif 000010